(57)【要約】【課題】  １ポリゴンミラー構成のタンデム式多色画像形成装置の２ビーム同時レーザ走査構成において、低解像度モード時の色間のラインずれを精度良く補正することができ、画像再現性を向上させることができる。【解決手段】  ４つのツービーム半導体レーザからのレーザービームを１つのポリゴンモータによって回転される１つのポリゴンミラーの各面で反射し、対応する４つのドラムにそれぞれ照射し、ツービームを使用する高解像モードと、単一ビームを使用する低解像度モードを選択して潜像を行う画像形成装置において、低解像度モード時において、ツービームレーザーのうち、ステーション間のラインが近接するようにそれぞれのステーションで使用するレーザービームを選択することを特徴とする。【選択図】        図１
2005074638.tif 000002
【特許請求の範囲】
【請求項１】
画素データに応じて変調される複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームによって感光体へ複数ライン同時に主走査を行う高解像度モードと、単一の光ビームによって感光体へ単一ラインの潜像を行う低解像度モードを備え、
前記低解像度モード時において、合成した多色画像上の互いの色の走査ラインがより近接するように各光源の光ビームを選択するビーム選択手段を備えたことを特徴とする多色画像形成装置。
【請求項２】
複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームのそれぞれに独立した同数のラインの画素データを対応させて感光体へ複数ライン同時に主走査を行う高解像度モードと、
１ライン分の画像データの所定主走査位置の画素データを２つの光ビームに重み付けをして対応させて潜像を行う低解像度モードとを備えたことを特徴とする多色画像形成装置。
【請求項３】
複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームによって感光体へ複数ライン同時に主走査を行う高解像度モードと、
所定の色は単一の光ビームによって感光体へ単一ラインの潜像を行い、また、他の所定の色は、１ライン分の画像データの所定主走査位置の画素データを２つの光ビームに重み付けをして対応させて潜像を行う低解像度モードとを備えたことを特徴とする多色画像形成装置。
【発明の詳細な説明】
【技術分野】
【０００１】
本発明は、多色画像形成装置に係り、特に、複数本の光ビームを偏向手段によって偏向させることにより、それぞれ対応する複数の感光体上で主走査させるとともに、前記感光体を移動させることにより副走査を行って前記感光体上に形成した複数の単色画像を、単一の画像として合成して多色画像を形成する多色画像形成装置に関する。
【背景技術】
【０００２】
形成すべき画像に応じて変調した光ビームを感光体上で走査させることで静電潜像を形成し、感光体上に画像を形成する構成の画像形成装置は、従来よりプリンタや複写機等の機器で使用されているが、近年、これからの機器のデジタル化やカラー化に伴い、前述した構成の画像形成装置が広範囲に用いられているようになってきている。カラー画像の形成は、例えば互いに異なる４色（例えばＣ，Ｍ，Ｙ，Ｋ）の画像が単一の感光体上で重なり合うように、前記各色の画像を前記感光体上に順に形成することが実現できるが、最終的にカラー画像が形成されるまでに時間がかかるという問題がある。このため、複数の感光体を有し、複数本の光ビームによって各感光体を同時に走査露光して各感光体に互いに異なる色の画像を形成し、各色の画像を同一の転写媒体上に重ね合わせることによってカラー画像を形成する、タンデム方式の画像形成装置が考案されている。タンデム方式の画像形成装置は各色の画像を同時に形成するので、カラー画像の形成に要する時間を大幅に短縮することができる。また、コストパフォーマンスの観点から、各色のビームの偏向を行うポリゴンミラーを各色個別に持たず、共有する構成を採用するシステムもある。
【０００３】
一方、更に高速の画像形成を行うため、各色の光ビームの主走査を、複数ライン同時に遂行するためツインビームのレーザを採用するシステムもある。この構成においては、副走査方向の解像度を落として、単一レーザのみを使用し、これを低解像度モードとして画像形成を行うことも可能である（特許文献１参照）。
【特許文献１】特開平０５−１６７８０９号公報
【発明の開示】
【発明が解決しようとする課題】
【０００４】
しかしながら、従来例の多色画像形成装置においては、一つのポリゴンミラーを共有しているので、各色の各感光体へのミラーによるビームの反射の相対的なタイミングは一義的に決定される。ゆえに、合成後の多色画像における各色のラインのずれは、感光体の相互の位置関係によって左右される。感光体の位置関係を、各色のライン間で色ずれがなく精密な精度で整合させるのは困難を極め、これまでは、こうしたシステムの色ずれは妥協せざるを得なかった。
【０００５】
本発明は、以上の点に着目して成されたもので、１ポリゴンミラー構成のタンデム式多色画像形成装置の２ビーム同時レーザ走査構成において、低解像度モード時の色間のラインずれを精度良く補正することができ、画像再現性を向上させることができる多色画像形成装置を提供することを目的とする。
【課題を解決するための手段】
【０００６】
上記課題を解決するために、請求項１に記載の発明は、画素データに応じて変調される複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームによって感光体へ複数ライン同時に主走査を行う高解像度モードと、単一の光ビームによって感光体へ単一ラインの潜像を行う低解像度モードを備え、前記低解像度モード時において、合成した多色画像上の互いの色の走査ラインがより近接するように各光源の光ビームを選択するビーム選択手段を備えたことを特徴としたものである。
【０００７】
請求項２に記載の発明は、画素データに応じて変調される複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームのそれぞれに独立した同数のラインの画素データを対応させて感光体へ複数ライン同時に主走査を行う高解像度モードと、１ライン分の画像データの所定主走査位置の画素データを２つの光ビームに重み付けをして対応させて潜像を行う低解像度モードとを備えたことを特徴としたものである。
【０００８】
請求項３記載の発明は、画素データに応じて変調される複数のビーム出力を持つ複数の光源からの光ビームを１つの偏向手段によって偏向させて、互いに異なる色毎に設けられた複数の感光体上でそれぞれ主走査させるとともに、前記複数の感光体を移動させることにより副走査を行って、それぞれの感光体上に形成された単色画像を合成して多色画像を形成する多色画像形成装置であって、
前記光源の複数の光ビームによって感光体へ複数ライン同時に主走査を行う高解像度モードと、所定の色は単一の光ビームによって感光体へ単一ラインの潜像を行い、また、他の所定の色は、１ライン分の画像データの所定主走査位置の画素データを２つの光ビームに重み付けをして対応させて潜像を行う低解像度モードとを備えたことを特徴としたものである。
【発明の効果】
【０００９】
本発明によれば、１ポリゴンミラー構成のタンデム式多色画像形成装置の２ビーム同時レーザ走査構成において、低解像度モード時の色間のラインずれを精度良く補正することができ、画像再現性を向上させることができる。
【発明を実施するための最良の形態】
【００１０】
以下本発明を実施するための最良の形態を、実施例により詳しく説明する。
【実施例】
【００１１】
図面を参照して、本実施例について説明する。
【００１２】
図１には、本発明に係る画像形成装置の概略構成が示されている。多色画像形成装置１０は複数の巻き掛けローラ１２に巻き掛けられ、矢印Ａ方向に搬送される無端ベルト状の転写ベルト１４が備えられている。この転写ベルト１４の上方には、ブラック（Ｋ）画像形成用の感光体ドラム１６Ｋ、シアン（Ｃ）画像形成用の感光体ドラム１６Ｃ、マゼンダ（Ｍ）画像形成用の感光体ドラム１６Ｍ、イエロー（Ｙ）画像形成用の感光体ドラム１６Ｙが略等間隔で配置されている。
【００１３】
なお、以下では、Ｋ、Ｃ、Ｍ、Ｙの各色毎に設けられた部分に対し、上記と同様に、各部分の符号末尾にＫ／Ｃ／Ｍ／Ｙの記号を付して示すが、特に色を区別しない場合は、この符号末尾の記号を省略して説明する。
【００１４】
各感光体ドラム１６は軸線が転写ベルト１４の移動方向と直交するように各々配置されている。各感光体ドラム１６は、モータ（図示省略）によってそれぞれ矢印Ｂ方向に所定速度で回転される。
【００１５】
各感光体ドラム１６の上方にはＫ、Ｃ、Ｍ、Ｙ各色の画像データに基づいて変調された複数の光ビームを各々対応する色の感光体ドラム１６に向けて走査しながら照射する光走査装置４（詳細は後述）が配置されている。
【００１６】
また、各感光体ドラム１６の周囲で、且つ光走査装置４による光ビームの照射位置よりも感光体ドラム１６の回転方向下流側には、感光体ドラム１６を一様に帯電させるための帯電器２０が各々配置されている。各感光体ドラム１６は、各々回転することによって、帯電器２０によって帯電された後、光走査装置４によって各々対応する色の画像データに基づいて変調された光ビームが走査露光されて、静電潜像が形成される。
【００１７】
また、各感光体ドラム１６の周囲には、感光体ドラム１６の回転方向に沿って光ビーム照射位置よりも下流側に、感光体ドラム１６上に形成された静電潜像を所定色（Ｋ又はＣ又はＭ又はＹ）のトナーによって現像しトナー像を形成させる現像器２２、感光体ドラム１６上に形成されたトナー像を転写ベルト１４に転写する第１の転写器２４、感光体ドラム１６に残されたトナーを除去するクリーナ２６が順に配置されている。
【００１８】
各感光体ドラム１６に形成された互いに異なる色のトナー像は、転写ベルト１４のベルト面上で互いに重なり合うように転写ベルト１４に各々転写される。これにより、転写ベルト１４上にカラーのトナー像が形成され、形成されたカラーのトナー像は、第２の転写器２８によって、用紙トレイ（図示省略）から１枚ずつ取り出されて搬送されてきた用紙３０に転写される。そして、用紙３０は図示しない定着装置に送りこまれ、転写されたトナー像が定着される。これにより、用紙３０上にカラー画像が形成される。
【００１９】
次に、図２及び図３を参照して、光走査装置４について説明する。光走査装置４には、各感光体ドラム１６Ｋ、１６Ｃ、１６Ｍ、１６Ｙへの照射用の光ビームを２系統出力する光源としてのＬＤ５０Ｋ、５０Ｃ、５０Ｍ、５０Ｙと、各ＬＤ５０Ｋ、５０Ｃ、５０Ｍ、５０Ｙから出力された光ビームを偏向して、感光体ドラム１６Ｋ、１６Ｃ、１６Ｍ、１６Ｙ上を走査させるポリゴンミラー５２とを備えている。各ＬＤ５０は、光源駆動手段としてのレーザ駆動回路（ＬＤＤ）５４（詳細後述）に各々接続されている。各レーザ駆動回路５４は、画像形成装置１０の動作を司る制御部５８と接続されている。各レーザ駆動回路５４は、制御部５８から出力される光量制御信号、ビームセレクト信号、光量比重調整信号、解像度モード切替信号および画像処理部５９から供給される画像データが入力される。各ＬＤ５０から出力された光ビームは、各色毎に備えられたコリメータレンズ６２を介して各々略平行光とされた後、ポリゴンミラー５２に入射される。ポリゴンミラー５２は、側面に複数の反射面が設けられた正多角形状（本実施の形態では正六角形）に形成されている。ＬＤ５４Ｋ、５４Ｃから出力された光ビームは、同一の反射面５２Ａに入射され、ＬＤ５４Ｍ、５４Ｙから出力された光ビームは、この反射面と１８０度異なる反対側の反射面に入射されるようになっている。
【００２０】
また、ポリゴンミラー５２は、モータ６４に軸着され、このモータ６４の駆動によって、矢印Ｃ方向に所定の回転数（所定の速度）で回転される。この回転によって、各反射面への光ビーム、及び光ビームの入射角が連続的に変化し、反射・偏向される。これによって、光ビームが各々対応する感光体ドラム１６上を走査する。
【００２１】
ポリゴンミラー５２によるＬＤ５４Ｋ、５４Ｃから出力された光ビームの反射方向には、ｆθレンズ等からなる集光光学系６６Ａが配置されている。ＬＤ５４Ｋ、５４Ｃから出力され、ポリゴンミラー５２の反射面で反射された光ビームは、集光光学系６６Ａによって主走査方向及び副走査方向に集光される。このとき各光ビームは、副走査方向に沿って互いに異なる入射角でポリゴンミラー５２の反射面に入射されるようになっており、集光光学系６６Ａを透過した光ビームは別々の反射ミラー６８Ｋ、６８Ｃへ入射される。
【００２２】
反射ミラー６８Ｋに入射した光ビームは、反射ミラー６８Ｋに反射された後、反射ミラー７０Ｋ、７２Ｋによって反射され、感光体ドラム１６Ｋへ向けて走査しながら光走査装置４から出力される。また、反射ミラー６８Ｃに入射した光ビームは、反射ミラー６８Ｃに反射された後、反射ミラー７０Ｃ、７２Ｃによって反射されて、感光体ドラム１６Ｃへ向けて走査しながら光走査装置４から出力される。
【００２３】
一方、ポリゴンミラー５２によるＬＤ５０Ｍ、５０Ｙから出力された光ビームの反射方向には、ｆθレンズ等からなる集光光学系６６Ｂが配置されている。ＬＤ５０Ｍ、５０Ｙから出力され、ポリゴンミラー５２の反射面で反射された光ビームは、集光光学系６６Ｂによって主走査方向及び副走査方向に集光される。このとき各光ビームは、副走査方向に沿って互いに異なる入射角でポリゴンミラー５２の反射面に入射されるようになっており、集光光学系６６Ｂを透過した光ビームは別々の反射ミラー６８Ｍ、６８Ｙへ入射される。
【００２４】
反射ミラー６８Ｍに入射した光ビームは、反射ミラー６８Ｍに反射された後、反射ミラー７０Ｍ、７２Ｍによって反射され、感光体ドラム１６Ｍへ向けて走査しながら光走査装置４から出力される。また、反射ミラー６８Ｙに入射した光ビームは、反射ミラー６８Ｙに反射された後、反射ミラー７０Ｙ、７２Ｙによって反射されて、感光体ドラム１６Ｙへ向けて走査しながら光走査装置４から出力される。
【００２５】
このように、ＬＤ５０Ｋ、５０Ｃから出力された光ビームと、ＬＤ５０Ｍ、５０Ｙから出力された光ビームとは、ポリゴンミラー５２の対向する反射面に入射されるため、図２に矢印で各々示すように、逆方向に走査される。
【００２６】
また、光走査装置４内部で、感光体ドラム１６へ向けた光ビームの出力部近傍には、反射ミラー７２Ｋ、７２Ｃによって各々反射された光ビームの走査軌跡を横切るように、ピックアップミラー（平面ミラー）７４Ａが配置されている。同様に、反射ミラー７２Ｍ、７２Ｙによって各々反射された光ビームの走査軌跡を横切るように、ピックアップミラー（平面ミラー）７４Ｂが配置されている。
【００２７】
このピックアップミラー７４Ａ、７４Ｂは各々の光ビームの走査軌跡のうち、画像形成領域外の走査開始側端部付近に配置されている。
【００２８】
ピックアップミラー７４Ａによる光ビーム各々の反射方向で、且つピックアップミラー７４Ａに対して感光体ドラム１６Ｋ、１６Ｃと略同等の位置には、ＰＤ（Ｐｈｏｔｏ  Ｄｉｏｄｅ）等からなるＢＤセンサ７６Ｋ、７６Ｃが配置されている。ＢＤセンサ７６Ｋ、７６Ｃには、各光ビームが感光体ドラム１６Ｋ、１６Ｃをその軸線方向に走査するごとに、ピックアップミラー７４Ａによって、画像形成領域外の走査開始側端部の光ビームが案内される。すなわち、ＢＤセンサ７６Ｋ、７６Ｃでは、光走査装置４による感光体ドラム１６Ｋ、１６Ｃへの１走査ごとの走査開始タイミングを各々検知し、その結果をＢＤ信号として出力する。このＢＤ信号は、画像処理部５９に送出され、所定時間経過後、画像処理部５９より、画像データが送出されてくる。
【００２９】
同様に、ピックアップミラー７４Ｂによる光ビーム各々の反射方向で、且つピックアップミラー７４Ｂに対して感光体ドラム１６Ｍ、１６Ｙと略同等の位置には、ＰＤ等からなるＢＤセンサ７６Ｍ、７６Ｙが配置されている。ＢＤセンサ７６Ｍ、７６Ｙには、各光ビームが感光体ドラム１６Ｍ、１６Ｙをその軸線方向に走査するごとに、ピックアップミラー７４Ｂによって、画像形成領域外の走査開始側端部の光ビームが案内される。すなわち、ＢＤセンサ７６Ｍ、７６Ｙでは、光走査装置４による感光体ドラム１６Ｍ、１６Ｙへの１走査ごとの走査開始タイミングを各々検知し、その結果をＢＤ信号として出力する。
【００３０】
次に、本発明による低解像度モード時の色間のラインずれ補正動作を図４、図５を参照して説明する。
【００３１】
図４には、レーザ駆動回路５４の一例が示されている。なお、各色のレーザ駆動回路は同様の構成である。また、ツインビームのそれぞれをＡレーザ、Ｂレーザと称する。
【００３２】
図４に示すように、各レーザ駆動回路５４には、制御部５８から光量制御信号、光量リファレンス値、解像度切り替え信号、ラインバッファメモリ選択信号が供給される。画像処理部５９からは、画像データが供給される。内部構成は、ラインバッファメモリ１００、可変電流源１０１、スイッチング回路１０２、ＯＲ回路１０３、Ｉ／Ｖ変換部１０４、比較器１０５、Ｓ／Ｈ回路（サンプル／ホールド）回路１０６、パルス生成部１１０、画像データ出力制御部１１１である。
【００３３】
レーザＬＤは、１０１の電流が１０２にスイッチングされて供給されて点灯する。１０２のスイッチング制御は、１０３がハイレベルのときＯＮ、ローレベルのときはＯＦＦとなる。１０３には、１１０からのパルス信号または光量制御信号が入力され、どちらかがアクティブハイの時、１０２がＯＮすることとなる。
【００３４】
１０１の電流値は、光量制御信号がハイレベルのときに制御される。このメカニズムについて説明する。光量制御信号が１０３を介して、１０２をＯＮにして１０１の電流がＬＤに供給されて、ＬＤが点灯する。ＬＤからの出力された光ビームの一部は、モニタ光としてＰＤで受光され、出力光量に比例した電流が出力される。この電流は、１０４によって電圧変換され、１０５において光量リファレンス値と比較される。光量制御信号がハイレベル時に、この比較結果が１０６に入力される。比較結果が、光量リファレンス値＞１０５出力値となったときには、１０６は内蔵するコンデンサを充電させ、１０１の電流値を上げるよう作用する。逆の場合は、コンデンサを放電させ、１０１の電流値を下げるよう作用する。このような負帰還制御により、光量リファレンス値近傍にＬＤの光量が制御され、光量制御信号がローレベルになった時点で、１０６の内蔵コンデンサは、その電荷を保持し、１０１は所定電流をＬＤに供給する。
【００３５】
つぎに、解像度切り替え動作について説明する。
【００３６】
感光ドラムに対して２ビームを同時に潜像する高解像度モードの時は、２ビットの解像度切り替え信号を０に設定する。このとき、画像処理部５９からは、Ａレーザ用、Ｂレーザ用独立の画像データが供給される。ラインバッファメモリ選択信号は１００をスルーする設定となる。そして、１１１のＡＩＮに入力されたＡレーザ画像データは、ＡＯＵＴから出力され、１１０で、Ａレーザ画像データに応じたパルス幅を持つパルス信号Ａ＿ＰＵＬＳＥに変換され、１０３Ａを介して１０２Ａをスイッチングし、ＬＤ＿Ａの点灯制御が行われ、１１１のＢＩＮに入力されたＢレーザ画像データは、ＢＯＵＴから出力され、１１０で、Ｂレーザ画像データに応じたパルス幅を持つパルス信号Ｂ＿ＰＵＬＳＥに変換され、１０３Ｂを介して１０２Ｂをスイッチングし、ＬＤ＿Ｂの点灯制御が行われる。低解像度モードは、３パターンあり、画像処理部５９からは、ＡＢ同じ画像データが５４に入力される。２ビットの解像度切り替え信号を１に設定した場合は、１１１のＡＯＵＴから画像データが出力され、ＢＯＵＴは、ディセーブル（ローレベル）固定となり、Ａレーザのみで感光ドラムの潜像を行う。このとき、ラインバッファメモリ選択信号は１００をスルーする設定となる。解像度切り替え信号を２に設定したときは、１１１のＢＯＵＴから画像データが出力され、ＡＯＵＴは、ディセーブル（ローレベル）固定となり、Ｂレーザのみで感光ドラムの潜像を行う。解像度切り替え信号を３に設定したときは、ＡＯＵＴ、ＢＯＵＴ双方から画像データが出力され、且つ、視覚的な重心をＡレーザが潜像するライン寄りにするかＢレーザが潜像するライン寄りにするかを制御する目的で、それぞれの光量リファレンス値の比率の制御が介在する。本発明においては、ＡＢレーザをともに点灯させて走査した場合、Ａレーザが、副走査方向の上側、Ｂレーザが下側を走査することになるが、４色のラインずれの相関関係によっては、解像度切り替え信号が２の設定時に、ＡＢレーザの上下関係を逆転することが要求される。この場合は、Ａレーザの画像データを一旦１００に１ライン分格納し、１ライン遅らせて１１１に送出させる。
【００３７】
本発明は、この解像度切り替えモードの低解像度モード時において、多色画像の色間のラインずれを以下のように補正する。図５は、本発明の多色画像形成装置によって低解像度モードで生成された画像を色ごとに独立して表示したものである。図において、ドット枠が実践の領域は、Ａレーザ走査領域で、破線はＢレーザ走査領域である。そして、内部が斜線表示となっているドットが実際に感光体への潜像が行われたドットである。
【００３８】
図の上段は、色ずれ補正前である。全ての色は、解像度切り替え信号を１に設定されることにより、Ａレーザのみの潜像が行われている。ここで、Ｍ色基準での色ずれは、Ｙ色が、上方向に１／２ラインずれ、Ｃ色が上方向に１／４ラインずれ、Ｋ色が下方向に１／４ラインずれという状態である。下段は、これに対し、以下のように色ずれ補正を行った結果である。Ｙ色，Ｃ色，Ｋ色をＭ色に整合させている。Ｙ色に関しては、解像度切り替え信号を２に設定して、Ｂレーザのみを使用している。これにより、ラインがＭ色とぴったり一致する。Ｃ色は、解像度切り替え信号を３に設定して、ＡＢ両方のレーザを点灯させ、２つのレーザが走査するラインの間に画像データの重心をずらしている。このとき、ＡＢ２つのドットの面積が、１つのレーザで走査している色のドットとできる限り等しくなるように、光量リファレンス値を低めに調整している。また、Ｃ色のような１／４ラインずれの場合は重心点をライン間のちょうど中間にもっていけばよいので、ＡＢ双方の光量リファレンス値は、同一となる。これにより、Ｃ色のラインも視覚的には、Ｍ色とラインが一致する。尚、重心をこの位置より上にずらしたいときは、Ａレーザの光量リファレンス値を高めにして、Ｂレーザの光量リファレンス値を低めにすれば良い。Ｋ色も、解像度切り替え信号を３に設定する。Ｋ色の場合は、同一画像データをＢレーザを上側にして走査しなければならないので、ラインバッファメモリ選択信号により、Ａレーザ画像データを一旦ラインバッファメモリ１００に格納して、１走査遅れで、走査をさせることとなる。光量リファレンス値の設定は、Ｃ色と同様となる。これにより、Ｂレーザが上側、Ａレーザが下側といった形で、同一画像データの２レーザ走査が可能となり、Ｋ色も視覚的には、Ｍ色とラインが一致する。
【図面の簡単な説明】
【００３９】
【図１】本発明実施例の多色画像形成装置の概略構成図である。
【図２】本発明実施例の光走査装置の上面図である。
【図３】本発明実施例の光走査装置の側面図である。
【図４】レーザ駆動回路の構成を示す図である。
【図５】本発明による色間のラインずれ補正の様子を示す図である。
【符号の説明】
【００４０】
４  光走査装置
１０  多色画像形成装置
１６Ｙ、１６Ｍ、１６Ｃ、１６Ｋ  感光体ドラム
５８  制御部
５９  画像処理部
５０Ｙ、５０Ｍ，５０Ｃ、５０Ｋ  半導体レーザ
５２  ポリゴンミラー
５４Ｙ、５４Ｍ、５４Ｃ、５４Ｋ  レーザ駆動回路
１００  ラインバッファメモリ
１０１Ａ、１０１Ｂ  可変電流源
１０２Ａ、１０２Ｂ  スイッチング回路
１０３Ａ，１０３Ｂ  ＯＲ回路
１０４Ａ，１０４Ｂ  Ｉ／Ｖ変換部
１０５Ａ，１０５Ｂ  比較器
１０６Ａ，１０６Ｂ  サンプルホールド回路
１１０  パルス生成部
１１１  画像データ出力制御部
【図１】
2005074638.tif 000003
【図２】
2005074638.tif 000004
【図３】
2005074638.tif 000005
【図４】
2005074638.tif 000006
【図５】
2005074638.tif 000007